(57)【要約】【課題】外装デザイン上の制約をなくすとともに、時計ケースの端部とバンドの端部との間の隙間の発生をさらに低減することの可能な時計ケースとバンドの連結構造及びこれを備えた腕時計を提供する。【解決手段】時計ケース２１１の端部２１１ａには、バンド２２１の端部２２１ａの裏面に突出した裏側支持部２１１ｂが設けられている。また、時計ケースの端部２１１ａの当接面部２１１ｃは、バンドの端部２２１ａの端面２２１ｃに当接している。裏側支持部２１１ｂには、裏面側からバンド２２１の端部２２１ａに向けて貫通した開口部２１１ｄが形成されている。バンド２２１の端部２２１ａの内部には埋設部材２２２が固定されている。固定部材２２３は、上記裏側支持部２１１ｂの開口部２１１ｄを通して埋設部材２２２内に挿入固定されている。【選択図】　　　　　図１
2004069606.tif 000002
【特許請求の範囲】
【請求項１】
時計ケースと可撓性を有するバンドの連結構造であって、
前記時計ケースの端部には、前記バンドの端部の裏側に重なる裏側支持部と、前記バンドの端面に当接する当接面部とが設けられ、
前記裏側支持部には、前記バンドの端部に向けて貫通する開口部が形成され、前記バンドの端部内には、前記バンドの可撓性素材よりも硬質な素材で構成された埋設部材が固定され、
前記裏側支持部と前記埋設部材とは、前記開口部を挿通した固定部材によって相互に固定されている
ことを特徴とする時計ケースとバンドの連結構造。
【請求項２】
前記埋設部材には前記開口部に臨む固定穴が設けられ、前記固定部材は前記固定穴に挿入された状態で係合していることを特徴とする時計ケースとバンドの連結構造。
【請求項３】
前記埋設部材は前記裏側支持部に当接していることを特徴とする請求項１又は請求項２に記載の時計ケースとバンドの連結構造。
【請求項４】
前記埋設部材は、前記バンドの端面において露出し、前記当接面部に対して当接していることを特徴とする請求項１乃至請求項３のいずれか１項に記載の時計ケースとバンドの連結構造。
【請求項５】
前記当接面部には凹部若しくは凸部が設けられ、前記バンドの端部には、前記凹部若しくは凸部に嵌合した凸部若しくは凹部が設けられていることを特徴とする請求項１又は請求項４に記載の時計ケースとバンドの連結構造。
【請求項６】
前記バンドの端部に設けられた凸部若しくは凹部は、前記埋設部材の一部であることを特徴とする請求項５に記載の時計ケースとバンドの連結構造。
【請求項７】
前記埋設部材は、前記固定穴を有する金属製の受入部材と、該受入部材を前記バンドの内部にて包摂する前記バンドの可撓性素材よりも硬質な包摂部材とにより構成されることを特徴とする請求項１に記載の時計ケースとバンドの連結構造。
【請求項８】
前記時計ケースの端部と前記バンドの端面との表面側の対接部分において、前記時計ケースと前記バンドのうち一方が他方の表面上に張り出すように構成されていることを特徴とする請求項１に記載の時計ケースとバンドの連結構造。
【請求項９】
請求項１乃至請求項８のいずれか１項に記載の時計ケースとバンドの連結構造を有することを特徴とする腕時計。
【発明の詳細な説明】
【０００１】
【発明の属する技術分野】
本発明は、時計ケースとバンドの連結構造及び腕時計に係り、特に、時計ケースに対して可撓性のバンドを連結した腕時計の構造に関する。
【０００２】
【従来の技術】
一般に、腕時計においては、時計本体の端部にバンドを連結した構造を有する。このバンドとしては、従来は皮革や人工皮革で構成されたもの、或いは金属製の駒を連結した構造を有するものなどが多かったが、近年、柔軟性を有する可撓性の樹脂バンドが多く用いられるようになってきた。このような樹脂バンドにおいては、軟質のウレタン樹脂を用いたものや、柔軟性に富む合成ゴムを用いたものなどが知られている。
【０００３】
近年の腕時計は身飾品の一種としての意味合いが強くなってきており、その結果、外装デザインの重要性がますます高まってきている。腕時計の外装デザインにおいては、時計ケースとバンドとの一体感を演出するタイプのデザインが採用される場合がある。このタイプの外装デザインを有する腕時計としては、通常、バンドだけでなく時計ケースも合成樹脂で構成したものや時計ケースとバンドとを合成樹脂により一体成形したものなどが市販されている。
【０００４】
ところで、一般的に、時計ケースには或る程度の剛性が必要とされ、バンドには腕にフィットするための充分な柔軟性が必要とされるため、時計ケースとバンドとを別体に構成する場合が多い。この場合、外装デザイン上において時計ケースとバンドとの一体感を演出するには、時計ケースの端部とバンドの端部との連結部分の少なくとも表面側の外面が連続する曲面となるように設計する必要がある。
【０００５】
このように時計ケースとバンドとの一体感を出すようにデザインされた従来の腕時計について図６乃至図９を参照して説明する。図６は、従来の腕時計１０における時計ケースの端部とバンドの端部との連結部分を示す部分断面図であり、図７は、当該部分を斜め裏側から見た上体を示す概略斜視図である。時計ケース１１の端部１１ａには、左右両側において裏側に張り出した一対の側部１１ｂの間に、時計ケースの中心部分に向けて凹んだ凹部１１ｃが設けられ、この凹部１１ｃにバンド１２の端部１２ａが嵌合するように構成されている。一対の側部１１ｂには貫通孔１１ｄが形成され、この貫通孔１１ｄに挿通された連結棒１３は、上記凹部１１ｃに挿入されたバンド１２の端部１２ａを貫通し、これによって時計ケース１１とバンド１２とを連結している。バンド１２の端部１２ａには、時計ケース１１の裏側に張り出すように延長形成された舌片部１２ｂが設けられている。
【０００６】
また、上記従来の腕時計と同様の外装デザインを有するが、上記とは異なる連結構造を備えた腕時計１００の構造を図８及び図９に示す。図８は、腕時計の時計本体及び時計ケースとバンドの連結構造を示す概略断面図であり、図９は、時計ケースとバンドとの連結部分を斜め表面側から見た状態を示す分解斜視図である。この腕時計１００においては、時計ケース１１１の端部１１１ａに突出部１１１ｂを形成し、この突出部１１１ｂを、バンド１２１の端部１２１ａに設けた凹部１２１ｂに嵌合させ、バンド１２１の端部１２１ａの両側部に設けた貫通孔１２１ｃに連結棒１３０を挿入し、突出部１１１ｂにも貫通するように構成して、時計ケース１１１とバンド１２１とを連結したものである。
【０００７】
一般に、金属や硬質樹脂などの硬質素材で構成された時計ケースと、合成ゴム等の可撓性素材で構成されたバンドとを有する腕時計においては、装着時等において可撓性のバンドを変形させると、バンドのみが変形するために時計ケースの端部とバンドの端部との間に隙間が生ずるという問題点がある。
【０００８】
そこで、上記従来の腕時計のうち、前者の腕時計１０においては、時計ケース１１の裏側に突出する舌片部１２ｂによってバンド１２の端部１２ａの変形を抑制し、時計ケース１１とバンド１２の表面側に隙間が生じにくくなるようにしている。
【０００９】
また、後者の腕時計１００では、時計ケース１１１の端部１１１ａとバンド１２１の端部１２１ａとの連結部分を、それぞれに設けられた凹凸構造が相互に嵌合した構造とすることにより、時計ケース１１１の端部１１１ａに規制されてバンド１２１の端部１２１ａが変形されにくくなるようにし、上記の隙間が低減されるように構成してある。
【００１０】
【発明が解決しようとする課題】
しかしながら、上記従来の腕時計においては、時計ケースとバンドとの連結部分の側面に連結棒を挿入するための貫通孔を開口させる必要があるため、外装デザインに制約が課せられるとともに、上記開口の存在によって高級感が低下するという問題点がある。
【００１１】
また、上記従来の腕時計においては、それぞれの構造上の工夫によって時計ケースの端部とバンドの端部との間に生ずる隙間を低減するようにしているが、基本的には時計ケースとバンドとが連結棒を中心に回動可能な連結構造を有するために、バンドの端部には回動方向の変形が生じ易く、時計ケースの端部とバンドの端部との間に隙間が発生することを充分に抑制することができないという問題点がある。
【００１２】
そこで本発明は上記問題点を解決するものであり、その課題は、外装デザイン上の制約をなくすとともに、時計ケースの端部とバンドの端部との間の隙間の発生をさらに低減することの可能な時計ケースとバンドの連結構造及びこれを備えた腕時計を提供することにある。
【００１３】
【課題を解決するための手段】
上記課題を解決するために本発明の時計ケースとバンドの連結構造は、時計ケースと可撓性を有するバンドの連結構造であって、前記時計ケースの端部には、前記バンドの端部の裏側に重なる裏側支持部と、前記バンドの端面に当接する当接面部とが設けられ、前記裏側支持部には、前記バンドの端部に向けて貫通する開口部が形成され、前記バンドの端部内には、前記バンドの可撓性素材よりも硬質な素材で構成された埋設部材が固定され、前記裏側支持部と前記埋設部材とは、前記開口部を挿通した固定部材によって相互に固定されていることを特徴とする。
【００１４】
この発明によれば、時計ケースの端部に設けられた裏側支持部の開口部を挿通する固定部材が裏側支持部と埋設部材とを相互に固定していることにより、バンドの端部は、裏側支持部によって裏側から支持されるとともに、時計ケースに対してバンドの厚さ方向及び延長方向に確実に固定される。ここで、時計ケースとバンドの連結部分の裏側にのみ固定部材が露出することとなるので、従来構造のように連結部分の側部に貫通孔を開口させる必要がなくなるため、外装デザインの自由度が向上し、側部の開口がなくなることによって高級感を得ることができる。また、上記のように裏側支持部と埋設部材とが固定部材によって固定されているため、連結構造においてバンドの回動方向の自由度が失われることからバンドの端部の変形が抑制されるとともに、時計ケースの端部に設けられた当接面部がバンドの端面に当接されていることによりバンドの端部の変形がさらに限定されるため、時計ケースの端部とバンドの端部との表面側の連結部分において、バンドの変形による隙間が生じにくくなるという利点もある。
【００１５】
この場合に、前記埋設部材には前記開口部に臨む固定穴が設けられ、前記固定部材は前記固定穴に挿入された状態で係合していることが好ましい。固定部材と固定穴との係合構造としては、螺結構造、フック構造、回動嵌合構造（バヨネット構造）などが挙げられる。
【００１６】
ここで、前記埋設部材は前記裏側支持部に当接していることが好ましい。埋設部材はバンドの可撓性素材よりも硬質な素材で構成されているため、埋設部材が裏側支持部に当接していることにより、時計ケースの裏側支持部とバンドの端部とをより強固に固定することが可能になるから、バンドの端部の変形をさらに低減できる。また、時計ケースとバンドとを高精度に位置決めすることができるため、例えば当該連結部分を隙間なく構成することができるなど、外観の品位を向上させることができる。
【００１７】
また、前記埋設部材は、前記バンドの端面において露出し、前記当接面部に対して当接していることが好ましい。埋設部材はバンドよりも硬質の素材で構成されるため、埋設部材が時計ケースの当接面部に対して当接していることにより、バンドの端部の変形をさらに低減できる。また、時計ケースとバンドとが相互に高精度に位置決めされるので、例えば時計ケースとバンドの連結部分を隙間なく構成することができるなど、外観の品位を向上させることができる。
【００１８】
さらに、前記当接面部には凹部若しくは凸部が設けられ、前記バンドの端部には、前記凹部若しくは凸部に嵌合した凸部若しくは凹部が設けられていることが好ましい。これにより、時計ケースの端部とバンドの端部とが凹凸構造で相互に嵌合することとなるので、バンドの端部が時計ケースに対してより確実に規制されるから、バンドの端部の変形をさらに低減することが可能になる。
【００１９】
この場合、前記バンドの端部に設けられた凸部若しくは凹部は、前記埋設部材の一部であることが好ましい。前記時計ケースの端部に嵌合する凸部若しくは凹部が硬質の埋設部材の一部であることにより、バンドの端部を時計ケースに対してさらに確実に規制でき、さらに変形を低減できる。
【００２０】
また、前記バンドの端部における前記裏側支持部に接する裏面は平坦に構成されていることが好ましい。或いは、上記裏面に、裏側支持部の開口部に導入される突出部を設けないことが好ましい。これによれば、バンドの端部を時計ケースの端部に容易に装着することが可能になり、時計ケースとバンドとの組み付け作業が容易になる。例えば、バンドの端部の裏面上から突出する突出部を埋設部材の一部として設け、この突出部が時計ケースの裏側支持部の開口部に導入されるように構成することも可能であるが、このようにすると、この突出部を開口部に導入することと、上記の当接面部と埋設部材との間の凹凸構造を嵌合させることとが相互に抵触する（相互に他方の作業を妨害する）ことになるので、時計ケースとバンドの組み付け作業が困難、或いは、不可能になる。しかし、上記のようにバンドの端部の裏面を平坦に構成することによって、或いは、裏側支持部の開口に導入される部分を設けないことによって、時計ケースとバンドとを容易に連結することが可能になる。
【００２１】
前記埋設部材は、前記固定穴を有する金属製の受入部材と、該受入部材を前記バンドの内部にて包摂する前記バンドの可撓性素材よりも硬質な包摂部材とにより構成されることが好ましい。金属製の受入部材については剛性や硬度を高めることが容易であるので、固定部材の挿入による固定強度を高めることが可能になる。また、受入部材とは別に包摂部材を設けて受入部材を包摂するように構成していることにより、包摂部材の素材を適宜に選定する（例えば、バンドの可撓性素材に対して密着性の良い同種の素材を用いる）ことにより、上記の受入部材を、包摂部材を介してバンドの内部に密着性良く、或いは、強固に固定することが可能になる。
【００２２】
ここで、埋設部材を内部に固定してなるバンドの製造方法としては、埋設部材を金型にセットして成形する、いわゆるインサート成形或いはアウトサート成形と呼ばれる一体成形法を用いることが好ましい。特に、上述のように受入部材を包摂部材が包摂した埋設部材がバンド内に固定される場合には、先ず、受入部材と包摂部材とを上記の一体成形法によって一体化して埋設部材を製造し、次に、この埋設部材を金型にセットして上記の一体成形法をさらに繰り返すことによってバンドを形成するという方法が望ましい。
【００２３】
また、前記時計ケースの端部と前記バンドの端面との表面側の対接部分において、前記時計ケースと前記バンドのうち一方が他方の表面上に張り出すように構成されていることが好ましい。これによれば、バンドが撓むことなどによって上記対接部分において時計ケースの端部からバンドの端部が多少離反しても、当該対接部分の表面に隙間が発生しにくくなり、その隙間も外観上目立ち難くなるという利点がある。
【００２４】
次に、本発明の腕時計は、上記のいずれか１項に記載の時計ケースとバンドの連結構造を有することを特徴とする。この発明によれば、腕時計において、時計ケースとバンドの連結構造に起因するデザイン上の制約を低減することが可能になり、より高級感のある外観を得ることができる。また、時計ケースとバンドとの間に加わる応力等により可撓性のバンドが撓んだ場合などにおいて、時計ケースの端部とバンドの端部との間に隙間が発生しにくくなり、外観の悪化を低減することが可能になる。
【００２５】
【発明の実施の形態】
次に、添付図面を参照して本発明に係る時計ケースとバンドの連結構造及びこれを備えた腕時計の実施形態について詳細に説明する。
【００２６】
［第１実施形態］
図１は、本発明に係る第１実施形態の腕時計２００の部分断面図である。図１には、腕時計２００の時計ケース２１１と、バンド２２１との連結部分を示してある。ここで、時計ケース２２１は、金属（合金を含む。）や硬質合成樹脂等で構成されている。また、バンド２２１は可撓性を有し、例えば、ウレタン樹脂、各種エラストマー、合成ゴムなどによって構成される。なお、この腕時計２００においては、図示を省略するが、時計ケース２１１の内部にムーブメントが収容され、時計ケース２１１の表面側にはガラス等で構成された表示窓が取り付けられ、時計ケース２１１の裏面側には金属やプラスチック等で構成された裏蓋が取り付けられる。なお、時計ケース２１１と裏蓋とが一体に構成される場合もある。
【００２７】
時計ケース２１１の端部２１１ａには、バンド２２１の端部２２１ａの裏面に重なるように突出した板状の裏側支持部２１１ｂが設けられている。また、時計ケース２１１の端部２１１ａの当接面部２１１ｃは、バンド２２１の端部２２１ａの端面２２１ｃに当接している。裏側支持部２１１ｂには、裏面側からバンド２２１の端部２２１ａに向けて貫通した開口部２１１ｄが形成されている。この開口部２１１ｄは、図示例では裏面側が拡径した段付孔として構成されている。
【００２８】
バンド２２１は、上記時計ケース２１１の端部２１１ａに嵌合する形状を有する端部２２１ａを有する。より具体的には、バンド２２１の端部２２１ａは、上記裏側支持部２１１ｂに当接する裏面部分及び当接面部２１１ｃと嵌合する端面部を有する端形状を有している。
【００２９】
バンド２２１の端部２２１ａの内部には埋設部材２２２が固定されている。この埋設部材２２２は、受入部材２２２Ａと、この受入部材２２２Ａを包摂する包摂部材２２２Ｂとによって構成される。受入部材２２２Ａは包摂部材２２２Ｂよりも硬度の高い素材で構成され、包摂部材２２２Ｂはバンド２２１の可撓性素材よりも硬度の高い素材で構成される。例えば、受入部材２２２Ａは金属で構成され、包摂部材２２２Ｂは硬質の合成樹脂２２２Ｂで構成される。いずれにしても、埋設部材２２２は、上述のように全体としてバンド２２１の可撓性素材よりも硬度の高い素材で構成される。
【００３０】
固定部材２２３は、上記裏側支持部２１１ｂの開口部２１１ｄを通して埋設部材２２２内に挿入された状態で固定されている。より具体的には、固定部材２２３は雄ネジを備えた固定ネジであり、受入部材２２２Ａは雌ネジを備えたナットである。そして、固定部材２２３は開口部２１１ｄを通して受入部材２２２Ａに螺合している。また、固定部材２２３は、埋設部材２２２に固定された状態で、その頭部が開口部２１１ｄの段部に係合し、これによってバンド２２１の端部２２１ａが裏側支持部２１１ｂに支持された状態で保持固定される。
【００３１】
なお、埋設部材２２２（受入部材２２２Ａ）と固定部材２２３との固定態様としては、上記のような螺結構造に限定されず、固定部材の先端を埋設部材２２２の内部にて拡大させることにより係止してもよく、固定部材の先端と埋設部材２２２とをバヨネット構造によって係止してもよい。
【００３２】
埋設部材２２２はバンド２２１の端部２２１ａの裏面上に露出し、裏側支持部２１１ｂに当接している。これによって、時計ケース２１１の裏側支持部２１１ｂに可撓性のバンド素材よりも硬質の埋設部材２２２が当接していることになるので、時計ケース２１１とバンド２２１との位置決めを高精度に行うことが可能になり、外観を良好に設定することができるとともに、時計ケース２１１とバンド２２１との取付強度を高めることができる。なお、本実施形態では、埋設部材２２２を構成する受入部材２２２Ａと包摂部材２２２Ｂが共に受入部材２２２Ａの固定孔の周囲にてバンド裏面上に露出し、共に裏側支持部２１１ｂに当接している。これによって、固定部材２２３による取付部分の剛性をさらに高めることができる。
【００３３】
本実施形態において、バンド２２１の端部２２１ａの裏面はほぼ平坦に構成され、そのほぼ全体が裏側支持部２１１ｂに当接している。これによって、時計ケース２１１とバンド２２１との組み付け作業を容易に行うことが可能になる。
【００３４】
埋設部材２２２を内部に固定したバンド２２１は、例えば、金型内に埋設部材２２２を取り付けた状態で樹脂材料等を金型に導入する一体成形法（例えば、インサート成形やアウトサート成形と呼ばれているもの）で製造することができる。また、埋設部材２２２もまた、受入部材を金型に取り付けた状態で樹脂材料等を金型に導入する上記と同様の一体成形法により製造することができる。上記のように金属製の受入部材２２２Ａが合成樹脂で構成される包摂部材２２２Ｂによって包摂された状態で可撓性の合成樹脂で構成されるバンド２２１の内部に固定されていることによって、バンド２２１と埋設部材２２２との密着性或いは一体性を高めることが可能になるので、バンド２２１内における埋設部材２２２の固定力を高めることができる。
【００３５】
図２は、本実施形態の時計ケース２１１とバンド２２１との連結部分の構造を模式的に示す概略斜視図である。この図においては、バンド２２１の可撓性素材自体は一点鎖線で示され、仮想的に、その内部に固定された埋設部材２２２が視認できる態様、すなわち透視状態を示すように描いてある。上記連結部分において、図示例では、バンド２２１内に２つの埋設部材２２２が固定され、これらの埋設部材２２２にそれぞれ固定部材２２３が挿入固定されている。
【００３６】
本実施形態において、バンド２２１は、埋設部材２２２と固定部材２２３との固定によって裏側支持部２１１ｂに対して固定されているため、バンド２２１が可撓性を有し、バンド２２１に応力が加わるなどの原因でバンド２２１が撓んでも、バンド２２１の端部２２１ａが変形しにくくなっている。したがって、時計ケース２１１の端部２１１ａと、バンド２２１の端部２２１ａとの間の表面側の対接部分Ｘに隙間が生じにくく、外観を損なわないように構成されている。
【００３７】
また、本実施形態では、従来構造の腕時計のように、連結部分の側部にバネ棒を挿入するための開口を設ける必要がなくなるので、外装デザイン上の制約が少なくなり、高級感を容易に得ることが可能になる。本実施形態では、連結部分の裏面側には固定部材２２３の頭部が露出しているが、腕時計２００を装着した状態では腕に隠されて固定部材２２３を視認することはできなくなるので、外装デザインへの影響は少ない。
【００３８】
［第２実施形態］
次に、図３乃至図５を参照して本発明に係る第２実施形態の腕時計３００について説明する。図３は、本発明に係る腕時計３００の全体構成を示す分解斜視図である。この腕時計３００は、時計ケース３１１と、この時計ケース３１１の両端部にそれぞれ連結された一対のバンド３２１Ａ、３２１Ｂと、時計ケース３１１の内部に収容されるムーブメント３０１と、時計ケース３１１の表面側に取り付けられる表示窓３０２と、時計ケース３０１の裏面側に取り付けられる裏蓋３０３と、時計ケース３１１の側部に取り付けられムーブメント３０１に接続される外部操作部材３０４とを有する。時計ケース３０１と裏蓋３０３とは一体に構成される場合もある。なお、ムーブメント３０１、表示窓３０２、裏蓋３０３及び外部操作部材３０４は模式的に描いてある。
【００３９】
時計ケース３１１と、その両端に連結されたバンド３２１Ａ，３２１Ｂとの連結部分は、少なくともその表面及び側面が連続的な曲面で構成される外面形状を有している。時計ケース３１１は上記第１実施形態と同様に金属や硬質合成樹脂などで構成され、バンド３２１Ａ，３２１Ｂも同様にウレタン樹脂等の軟質剛性樹脂や合成ゴムなどの可撓性を有する素材で構成されている。
【００４０】
図４は、腕時計３００のうち、時計ケース３１１とバンド３２１Ａ，３２１Ｂとが連結された状態を示す平面一部断面図である。ここで、時計ケース３１１とバンド３２１Ａとの連結構造と、時計ケース３１１とバンド３２１Ｂとの連結構造とは、図示一点鎖線Ｓを含む紙面と直交する平面に対して対称に構成されているので、一方を断面図で、他方を平面図でそれぞれ示してある。また、図５は、時計ケース３１１とバンド３２１Ａ，３２１Ｂとの連結部分の縦断面図である。なお、以下の説明において、バンド３２１Ａと３２１Ｂとを特に区別せず、一括して示す場合には「バンド３２１」と称することとする。
【００４１】
図５に示すように、時計ケース３１１の端部３１１ａには、バンド３２１Ａ、３２１Ｂの裏側を支持する裏側支持部３１１ｂと、バンド３２１の端部３２１ａの端面に当接する当接面部３１１ｃとを有する。裏側支持部３１１ｂは板状でバンド３２１の延長方向にやや突出している。裏側支持部３１１ｂには開口部３１１ｄが形成されている。開口部３１１ｄは、裏面側が拡径した段付孔となっている。
【００４２】
バンド３２１の端部３２１ａの端面と対向する部分（当接面部３１１ｃに隣接する部分）には凹部３１１ｅが形成されている。図示例では、各連結部分にそれぞれ２つの凹部３１１ｅが形成されている。
【００４３】
バンド３２１の端部３２１ａの内部には埋設部材３２２が固定されている。この埋設部材３２２は、バンド３２１を構成する可撓性素材よりも硬質な素材で構成されている。埋設部材３２２は、バンド３２１の端部３２１ａの端面上において一部露出するとともに、端部３２１ａの裏面上にも露出している。埋設部材３２２は、金属等で構成される受入部材３２２Ａと、この受入部材３２２Ａを包摂する硬質合成樹脂等で構成される包摂部材３２２Ｂとを有している。埋設部材３２２には、他の部分よりも平面形状が限定された領域においてバンド３２１の裏面上に向けて突出し、露出する裏面露出部３２２ｂ，３２２ｃが設けられている。これらのうち裏面露出部３２２ｂは、それぞれ受入部材３２２Ａを含むとともに、その周囲を取り巻く領域において環状に構成された包摂部材３２２Ｂの一部により構成されている。すなわち、この裏面露出部３２２ｂには受入部材３２２Ａの一部及び包摂部材３２２Ｂの一部が含まれ、共に露出している。一方、裏面露出部３２２ｃは一対の上記裏面露出部３２２ｂの間において突出した包摂部材３２２Ｂの一部により構成される。
【００４４】
また、受入部材３２２Ａには、外周に張り出した鍔部３２２ｄが設けられ、この鍔部３２２ｄによって包摂部材３２２Ｂ内で受入部材３２２Ａがバンド３２１の厚さ方向に強固に固定されるように構成されている。また、この鍔部３２２ｄは、図示しないが、周回方向の一部にカット部や突出部が設けられるなど、受入部材３２２Ａが回転方向において包摂部材３２２Ｂに係止されるように構成されている。これによって、受入部材３２２Ａに強い回転方向の応力が加わっても、受入部材３２２Ａが包摂部材３２２Ｂの内部にて回転しないように強固に固定される。
【００４５】
埋設部材３２２には、時計ケース３１１の当接面部３１１ｃに当接する端面部３２１ｃが設けられている。また、時計ケース３１１に設けられた凹部３１１ｅに嵌合する凸部３２１ｅが形成されている。この実施形態では、時計ケース３１１に凹部３１１ｅが設けられ、埋設部材３２２に凸部３２１ｅが設けられているが、バンド３２１の可撓性素材の一部に凹部が設けられていてもよく、また、上記とは逆に、時計ケース３１１に凸部が設けられ、バンド或いは埋設部材に凹部が設けられてもよい。
【００４６】
固定部材３２３は、裏側支持部３１１ｂの開口部３１１ｄを挿通してバンド３２１の端部３２１ａ内に配置された埋設部材３２２に挿入固定されている。より具体的には、固定部材３２３は埋設部材３２２の受入部材３２２Ａに設けられた固定穴に挿入された状態で固定されている。この実施形態でも、固定部材３２３は雄ネジを備えた固定ネジであり、受入部材３２２Ａは雌ネジを備えたナットである。本実施形態においては、第１実施形態とは異なり、埋設部材３２２は、２つの受入部材３２２Ａを一体の包摂部材３２２Ｂが包摂する構造となっている。
【００４７】
本実施形態において、時計ケース３１１の端部３１１ａと、バンド３２１の端部３２１ａとの表面側の対接部分では、相互に対向する当接面部３１１ｃと端面部３２１ｃとの当接平面に対して傾斜した対接面部３１１ｆ，３２１ｆが相互に当接若しくは対向している。ここで、図示例では、対接面部３１１ｆ、３２１ｆは時計ケース３１１の側に傾斜し、バンド３２１の端部３２１ａが時計ケース３１１の端部３１１ａの表面上に張り出すように構成されている。なお、上記とは逆に、対接面部をバンド３２１の側に傾斜させ、時計ケース３１１の端部３１１ａがバンド３２１の端部３２１ａの表面上に張り出すように構成してもよい。
【００４８】
本実施形態では、第１実施形態と基本的に同様の作用効果を奏するが、さらに以下の作用効果をも奏する。
【００４９】
まず、本実施形態では、時計ケース３１１の端部３１１ａに設けられた凹部３１１ｅと、バンド３２１の端部３２１ａの端面に設けられた凸部３２１ｅとが嵌合し、これによって、バンド３２１の端部３２１ａが時計ケース３１１の端部３１１ａに係止されるので、バンド３２１の端部３２１ａの変形がさらに低減される。特に、凸部３２１ｅは、バンド３２１の素材よりも硬質な埋設部材３２２の一部によって構成されているため、バンド３２１の端部３２１ａに対する時計ケース３１１の規制を確実に行うことができる。
【００５０】
また、本実施形態では、埋設部材３２２の平面形状の一部が裏面露出部３２２ｂ，３２２ｃとして裏面側に突出し、裏側支持部３１１ｂに当接しているので、埋設部材３２２がバンド３２１の素材と嵌合した構造となっており、固定部材３２３による固定力を増強することが可能になっている。さらに、受入部材３２２Ａには鍔部３２２ｄが設けられ、この鍔部３２２ｄによって受入部材３２２Ａがバンド３２１の厚さ方向及び回転方向に固定されているので、時計ケース３１１とバンド３２１との連結強度をさらに向上させることができる。
【００５１】
さらに、本実施形態では、時計ケース３１１とバンド３２１との表面側の対接部分において時計ケース側（或いはバンド側でもよい。）に傾斜した対接面部が設けられ、或いは、時計ケース３１１の端部３１１ａとバンド３２１の端部３２１ａのいずれか一方が他方の表面上に張り出している。これによって、バンドの端部３２１ａが多少変形しても、上記対接部分において時計ケース３１１とバンド３２１との間に隙間が生じにくくなり、また、例え隙間が生じても外観上目立たないように構成できる。したがって、外装デザインの悪化や高級感の喪失を抑制することができる。
【００５２】
尚、本発明の時計ケースとバンドの連結構造及び腕時計は、上述の図示例にのみ限定されるものではなく、本発明の要旨を逸脱しない範囲内において種々変更を加え得ることは勿論である。
【００５３】
【発明の効果】
以上、説明したように本発明によれば、外装デザイン上の制約を低減でき、高級感のある外観を構成できる。
【図面の簡単な説明】
【図１】本発明に係る時計ケースとバンドの連結構造及び腕時計の第１実施形態の構造を示す縦断面図である。
【図２】第１実施形態の構造を示す概略分解斜視図である。
【図３】本発明に係る時計ケースとバンドの連結構造及び腕時計の第２実施形態の構造を示す分解斜視図である。
【図４】第２実施形態の時計ケースとバンドの連結体を示す平面一部断面図である。
【図５】第２実施形態の連結構造の拡大縦断面図である。
【図６】従来の腕時計における時計ケースとバンドの連結部分の縦断面図である。
【図７】図６に示す腕時計の連結部分の概略斜視図である。
【図８】従来の別の腕時計における時計本体及び連結部分を示す縦断面図である。
【図９】図８に示す腕時計の連結部分の概略斜視図である。
【符号の説明】
２００，３００・・・腕時計、２１１，３１１・・・時計ケース、２１１ａ，３１１ａ・・・端部、２１１ｂ，３１１ｂ・・・裏側支持部、２１１ｃ，３１１ｃ・・・当接面部、２１１ｄ，３１１ｄ・・・開口部、２２１，３２１・・・バンド、２２１ａ，３１１ａ・・・端部、２２２，３２２・・・埋設部材、２２２Ａ，３２２Ａ・・・受入部材、２２２Ｂ，３２２Ｂ・・・包摂部材、２２３，３２３・・・固定部材、３１１ｅ・・・凹部、３２１ｅ・・・凸部、３１１ｆ，３２１ｆ・・・対接面部、Ｘ・・・対接部分
【図１】
2004069606.tif 000003
【図２】
2004069606.tif 000004
【図３】
2004069606.tif 000005
【図４】
2004069606.tif 000006
【図５】
2004069606.tif 000007
【図６】
2004069606.tif 000008
【図７】
2004069606.tif 000009
【図８】
2004069606.tif 000010
【図９】
2004069606.tif 000011